(57)【特許請求の範囲】
【請求項１】
圧縮機、凝縮器、第１の減圧手段、大気熱あるいは太陽熱を集熱する蒸発器を順次接続した自然熱利用冷媒回路と、前記圧縮機、前記凝縮器、前記第１の減圧手段および前記蒸発器と並列に設けた第２の減圧手段および熱回収熱交換器を順次接続した熱回収冷媒回路と、貯湯漕、循環ポンプ、前記凝縮器と熱交換関係を有する給湯熱交換器を順次接続した給湯回路と、浴槽、風呂ポンプ、前記熱回収熱交換器と熱交換関係を有する風呂熱交換器を順次接続した風呂回路と、前記第１の減圧手段または前記第２の減圧手段の閉塞動作を行い、前記熱回収冷媒回路または前記自然熱利用冷媒回路による給湯運転を行う運転制御手段と、浴槽の残湯を検出する残湯検出手段とを備え、前記残湯検出手段により浴槽の残湯が検出されたときのみ、前記運転制御手段が前記第１の減圧手段の閉塞動作を行い、前記熱回収冷媒回路による給湯運転を行うことを特徴とするヒートポンプ式風呂給湯システム。
【請求項２】
風呂回路の水温を検出する風呂温度検出手段を備え、前記風呂温度検出手段の検出温度が所定の設定値より大きいときのみ、運転制御手段が第１の減圧手段の閉塞動作を行い、熱回収冷媒回路による給湯運転を行う請求項１に記載のヒートポンプ式風呂給湯システム。
【請求項３】
風呂回路の水温を検出する風呂温度検出手段と、外気温を検出する外気温度検出手段とを備え、前記風呂温度検出手段と前記外気温度検出手段の検出温度の差が所定の設定値よりも大きいときのみ、運転制御手段が第１の減圧手段の閉塞動作を行い、熱回収冷媒回路による給湯運転を行う請求項１または２のいずれか１項に記載のヒートポンプ式風呂給湯システム。
【請求項４】
風呂ポンプを運転させた後、風呂温度検出手段により風呂回路の水温を検出する請求項３に記載のヒートポンプ式風呂給湯システム。
【請求項５】
ユーザによって操作されて熱回収給湯運転指令信号を出力する熱回収給湯運転スイッチを備え、前記熱回収給湯運転指令信号がある場合のみ、運転制御手段が第１の減圧手段の閉塞動作を行い、熱回収冷媒回路による給湯運転を行う請求項１〜４のいずれか１項に記載のヒートポンプ式風呂給湯システム。
【請求項６】
時刻を計測するタイマーを備え、前記タイマーの計測時刻が時間別電力料金制度の深夜時間帯である場合のみ、運転制御手段が第１の減圧手段の閉塞動作を行い
、熱回収冷媒回路による給湯運転を行う請求項１〜５のいずれか１項に記載のヒートポンプ式風呂給湯システム。
【発明の詳細な説明】
【０００１】
【発明の属する技術分野】
本発明は、ヒートポンプ式風呂給湯システムに関するものである。
【０００２】
【従来の技術】
従来、この種のヒートポンプシステムとしては、特開平７−７１８３９号公報に記載されているようなものがあった。以下、従来の技術について図面を用いて説明する。図７は従来のヒートポンプシステムの構成図である。図７において、１は圧縮機、２は凝縮器、３は第１の減圧手段、４は大気熱を集熱する蒸発器、５０ａは開閉弁であり、これらを順次接続して自然熱利用冷媒回路５を構成するとともに、蒸発器４および開閉弁５０ａと並列した位置に、第２の減圧手段６と熱回収熱交換器７と開閉弁５０ｂとを設置し、同様に圧縮機１および凝縮器２と順次接続して熱回収冷媒回路８を構成している。そして、開閉弁５０ａ、５０ｂの切り替えにより、大気熱等の自然熱利用給湯運転と浴槽廃熱を回収利用した熱回収給湯運転の切り替えがおこなわれる。例えば、自然熱利用給湯運転時は、開閉弁５０ｂを閉塞した状態で開閉弁５０ａを開放し、蒸発器４を介して大気から吸熱し、凝縮器２で水を加熱して貯湯漕９に貯える。また、熱回収給湯運転時は、開閉弁５０ａを閉塞した状態で開閉弁５０ｂを開放し、熱回収熱交換器７を介して浴槽１３の湯から吸熱し、凝縮器２で水を加熱して貯湯漕９に貯える。
【０００３】
【発明が解決しようとする課題】
しかしながら、前記従来の構成では、自然熱利用給湯運転と熱回収給湯運転の流路切り替えに開閉弁５０ａと５０ｂが、各々の冷媒流量制御に第１および第２の減圧手段３および６が必要となり、システムの構成およびその制御が複雑となる。
【０００４】
また、熱回収給湯運転を行うとき、凝縮器２より流出した高圧の液冷媒は第１の減圧手段３で低圧の二相冷媒となり、さらに第２の減圧手段６を通って熱回収熱交換器７に流入することになるため、冷媒流量がかなり絞られ、所定の冷媒流量が得られず、圧縮機１の吸入冷媒ガスは高温の過熱ガスとなり、圧縮機１の信頼性確保が課題となる。
【０００５】
さらに、冷媒流量の低下により、熱回収熱交換器７での採熱量が少なくなるため高効率化が得られない。それを防止するには第１および第２の減圧手段３および６は流量制御範囲が非常に大きなものが必須となる。また、その場合には熱回収熱交換器７に流入する湯温は大気よりも高温であるため、圧縮機１の低圧がかなり上昇し、採熱量増加にともなって凝縮器２が大きくなるという課題を有していた。
【０００６】
本発明は、前記従来の課題を解決するもので、構成の簡略化により部品点数の削減を図るとともに、圧縮機等の信頼性向上と熱回収給湯運転時の高効率化を実現するヒートポンプ式風呂給湯システムを提供することを目的とする。
【０００７】
【課題を解決するための手段】
前記従来の課題を解決するために、本発明のヒートポンプ式風呂給湯システムは、圧縮機と凝縮器に対して、第１の減圧手段および大気熱あるいは太陽熱を集熱する蒸発器と第２の減圧手段および熱回収熱交換器とを並列に配置し、さらに、前記第１の減圧手段または前記第２の減圧手段の閉塞動作を行い、前記熱回収冷媒回路または前記自然熱利用冷媒回路による給湯運転を行う運転制御手段とを備えたものである。
【０００８】
これによって、自然熱利用と浴槽廃熱回収の各給湯運転の流路切り替えを、第１および
第２の減圧手段だけの簡単な構成で行うことができるとともに、給湯運転時の冷媒流量制御が、自然熱利用の場合は第１の減圧手段、浴槽廃熱回収利用の場合は第２の減圧手段により、それぞれ単独で行うことができる。
【０００９】
【発明の実施の形態】
請求項１に記載の発明は、圧縮機、凝縮器、第１の減圧手段、大気熱あるいは太陽熱を集熱する蒸発器を順次接続した自然熱利用冷媒回路と、前記圧縮機、前記凝縮器、前記第１の減圧手段および前記蒸発器と並列に設けた第２の減圧手段および熱回収熱交換器を順次接続した熱回収冷媒回路と、貯湯漕、循環ポンプ、前記凝縮器と熱交換関係を有する給湯熱交換器を順次接続した給湯回路と、浴槽、風呂ポンプ、前記熱回収熱交換器と熱交換関係を有する風呂熱交換器を順次接続した風呂回路と、前記第１の減圧手段または前記第２の減圧手段の閉塞動作を行い、前記熱回収冷媒回路または前記自然熱利用冷媒回路による給湯運転を行う運転制御手段と、浴槽の残湯を検出する残湯検出手段とを備え、前記残湯検出手段により浴槽の残湯が検出されたときのみ、前記運転制御手段が前記第１の減圧手段の閉塞動作を行い、前記熱回収冷媒回路による給湯運転を行うことを特徴とするヒートポンプ式風呂給湯システムである。
【００１０】
これによって、自然熱利用と浴槽廃熱回収の各給湯運転の流路切り替えを、第１および第２の減圧手段だけの簡単な構成で行うことができるため、部品点数の削減とシステム制御の簡素化が図られる。また、給湯運転時の冷媒流量制御を、自然熱利用の場合は第１の減圧手段、浴槽廃熱回収利用の場合は第２の減圧手段により、それぞれ単独で行うことができる。よって、熱回収給湯運転を行うとき、凝縮器より流出した高圧の液冷媒は、第２の減圧手段のみを通って熱回収熱交換器に流入することになるため、冷媒流量低下による圧縮機の吸入冷媒ガスの高温過熱ガス化や、熱回収熱交換器での採熱量不足による効率の低下が防止され、圧縮機等の信頼性向上と熱回収給湯運転時の高効率化を実現することができる。また、浴槽に残湯がないときの風呂ポンプの空転や熱回収熱交換器への吸熱量低下に伴う給湯能力の低下が防止され、システムの高信頼化が図れる。
【００１１】
請求項２に記載の発明は、特に、請求項１に記載の構成に加えて、風呂回路の水温を検出する風呂温度検出手段を備え、前記風呂温度検出手段の検出温度が所定の設定値より大きいときのみ、運転制御手段が第１の減圧手段の閉塞動作を行い、熱回収冷媒回路による給湯運転を行うものであり、浴槽の残湯温度が極めて低い場合も風呂回路の凍結が防止され、さらにシステムの高信頼化が図れる。
【００１２】
請求項３に記載の発明は、特に、請求項１または２に記載の構成に加えて、風呂回路の水温を検出する風呂温度検出手段と、外気温を検出する外気温度検出手段とを備え、前記風呂温度検出手段と前記外気温度検出手段の検出温度の差が所定の設定値よりも大きいときのみ、運転制御手段が第１の減圧手段の閉塞動作を行い、熱回収冷媒回路による給湯運転を行うものであり、簡単な構成で自然熱利用または浴槽廃熱回収の効率の良い方の給湯運転を選択でき、システムの高効率化が図れる。
【００１３】
請求項４に記載の発明は、特に、請求項３に記載の構成において、風呂ポンプを運転させた後、風呂温度検出手段により風呂回路の水温を検出するものであり、風呂回路の放熱等の条件によらず、浴槽の残湯温度を精度良く検出できるため、システムの高信頼化が図れる。
【００１４】
請求項５に記載の発明は、特に、請求項１〜４に記載の構成に加えて、ユーザによって操作されて熱回収給湯運転指令信号を出力する熱回収給湯運転スイッチを備え、前記熱回収給湯運転指令信号がある場合のみ、運転制御手段が第１の減圧手段の閉塞動作を行い、熱回収冷媒回路による給湯運転を行うものであり、浴槽廃熱回収給湯運転時に生じる残湯
温度の低下をユーザーの判断で行え、不測の浴槽の冷却が防止できる。
【００１５】
請求項６に記載の発明は、特に、請求項１〜５に記載の構成に加えて、時刻を計測するタイマーを備え、前記タイマーの計測時刻が時間別電力料金制度の深夜時間帯である場合のみ、運転制御手段が第１の減圧手段の閉塞動作を行い、熱回収冷媒回路による給湯運転を行うものであり、熱回収給湯運転が電力料金の安い深夜時間帯に制限され、給湯運転に伴うランニングコストの低減が図れる。
【００１６】
【実施例】
以下、本発明の実施例について図面を用いて説明する。
【００１７】
（実施例１）
図１は、本発明の実施例１におけるヒートポンプ式風呂給湯システムの構成図を示すものである。図１において、１は圧縮機、２は凝縮器、３は第１の減圧手段、４は大気熱あるいは太陽熱を集熱する蒸発器であり、これらを順次接続して自然熱利用冷媒回路５を構成する。さらに、第１の減圧手段３および蒸発器４と並列した位置に、第２の減圧手段６および熱回収熱交換器７を設置し、同様に圧縮機１および凝縮器２と順次接続して熱回収冷媒回路８を構成する。また、９は貯湯漕、１０は循環ポンプ、１１は凝縮器２と熱交換関係を有する給湯熱交換器であり、これらを順次接続して給湯回路１２を構成する。また、１３は浴槽、１４は風呂ポンプ、１５は熱回収熱交換器７と熱交換関係を有する風呂熱交換器であり、これらを順次接続して風呂回路１６を構成する。さらに、１７は運転制御手段であり、第１の減圧手段３または第２の減圧手段６の閉塞動作を行い、熱回収冷媒回路８または自然熱利用冷媒回路５による給湯運転の切り替えを行うものである。ここで、第１および第２の減圧手段３および６は、例えば電子制御式のニードル弁であり、冷媒流量の制御および流路の閉塞動作が可能なものである。
【００１８】
以上のように構成されたヒートポンプ式風呂給湯システムについて、以下その動作を説明する。まず、浴槽廃熱回収の給湯運転において、圧縮機１から吐出した高温高圧のガス冷媒は凝縮器２に流入する。一方、貯湯槽９の水は循環ポンプ１０によって給湯熱交換器１１に流入し、ここで、冷媒の凝縮熱によって加熱され貯湯槽９に流入する。凝縮器２で凝縮液化した冷媒は、第２の減圧手段６で減圧されて熱回収熱交換器７に流入する。一方、浴槽１３の残湯は風呂ポンプ１４によって風呂熱交換器１５に流入し、ここで熱回収熱交換器７を流れる冷媒を加熱し蒸発ガス化する。このとき、運転制御手段１７は第１の減圧手段３の閉塞動作を行い、熱回収冷媒回路８単独による給湯運転を可能にしている。
【００１９】
自然熱利用の給湯運転においても同様に、圧縮機１から吐出した高温高圧のガス冷媒は凝縮器２に流入する。一方、貯湯槽９の水は循環ポンプ１０によって給湯熱交換器１１に流入し、ここで、冷媒の凝縮熱によって加熱され貯湯槽９に流入する。凝縮器２で凝縮液化した冷媒は、第１の減圧手段３で減圧されて蒸発器４に流入する。この蒸発器４は、送風ファンや集熱パネル等により大気熱あるいは太陽熱を集熱するものであり、その熱により蒸発器７内部を流れる冷媒を蒸発ガス化する。このとき、運転制御手段１７は第２の減圧手段６の閉塞動作を行い、自然熱利用冷媒回路５単独による給湯運転を可能にしている。
【００２０】
したがって、自然熱利用と浴槽廃熱回収の各給湯運転の流路切り替えを、第１および第２の減圧手段３および６だけの簡単な構成で行うことができるため、部品点数の削減とシステム制御の簡素化が図られる。また、給湯運転時の冷媒流量制御を、自然熱利用の場合は第１の減圧手段３、浴槽廃熱回収利用の場合は第２の減圧手段６により、それぞれ単独で行うことができる。よって、熱回収給湯運転を行うとき、凝縮器２より流出した高圧の液冷媒は、第２の減圧手段６のみを通って熱回収熱交換器７に流入することになるため、
冷媒流量低下による圧縮機１の吸入冷媒ガスの高温過熱ガス化や、熱回収熱交換器７での採熱量不足による効率の低下が防止され、圧縮機１等の信頼性向上と熱回収給湯運転時の高効率化を実現することができる。
【００２１】
なお、浴槽廃熱回収給湯運転中に、自然熱利用給湯運転への流路切り替えを行う場合は、第２の減圧手段６の閉塞動作に先立ち、第１の減圧手段３の開放動作を行えば、冷媒回路中の冷媒が滞ることなく流動するため、圧縮機１の吐出側の過度の圧力上昇が防止され、圧縮機１並びにシステムの信頼性を確保することができる。自然熱利用給湯運転中の浴槽廃熱回収給湯運転への流路切り替えの場合も同様である。
【００２２】
（実施例２）
図２は、本発明の実施例２におけるヒートポンプ式風呂給湯システムの構成図を示すものである。本発明は、特に、実施例１に記載の構成に加えて、浴槽１３の残湯を検出する残湯検出手段１８を備え、この残湯検出手段１８により浴槽１３の残湯が検出されたときのみ、運転制御手段１７が第１の減圧手段３の閉塞動作を行い、熱回収冷媒回路８による給湯運転を行うものである。残湯検出手段１８としては、例えば、風呂回路１６中に水流の有無によりオンオフ動作を行うフロースイッチや水流量を計測する流量計を設置したり、浴槽１３の水位を検出する水位センサ等、残湯の有無を検出するものであればいかなるものでも構わない。
【００２３】
浴槽廃熱回収給湯運転を行う場合、浴槽１３に残湯がないと、風呂ポンプ１４の空転による耐久劣化や、熱回収熱交換器７への吸熱量低下に伴う給湯能力低下が生じる。これは、例えば熱回収給湯運転中に浴槽１３底部の排水口（図示せず）から残湯が漏洩し、残湯がなくなってしまうような場合が想定される。本実施例は、残湯検出手段１８により浴槽１３の残湯が検出されたときのみ、熱回収冷媒回路８による給湯運転を行うものであり、システムの高信頼化が図れる。さらに、残湯検出手段１８により浴槽１３の残湯が検出されない場合、第２の減圧手段６の閉塞動作を行い、第１の減圧手段３で流量制御を行う自然熱利用冷媒回路５による給湯運転を行うことも容易に可能である。このようにすれば、給湯運転が間断なく行え、システムの性能向上を実現することができる。
【００２４】
（実施例３）
図３は、本発明の実施例３におけるヒートポンプ式風呂給湯システムの構成図を示すものである。本発明は、特に、実施例１〜２に記載の構成に加えて、風呂回路８の水温を検出する風呂温度検出手段１９を備え、風呂温度検出手段１９の検出温度が所定の設定値より大きいときのみ、運転制御手段１７が第１の減圧手段３の閉塞動作を行い、熱回収冷媒回路８による給湯運転を行うものである。風呂温度検出手段１９としては、例えば、風呂熱交換器１５の入口または出口の風呂回路１６中にサーミスタ等を挿入したものが挙げられる。
【００２５】
浴槽廃熱回収給湯運転を行う場合、風呂回路１６を流れる残湯は風呂熱交換器１５において熱回収熱交換器７側に吸熱され、その温度は低下する。浴槽１３の残湯温度が極めて低い場合、風呂熱交換器１５内の残湯が凍結・膨張し、風呂熱交換器１５を破損する可能性がある。本実施例は、風呂温度検出手段１９の検出温度が所定の設定値より大きいときのみ、熱回収冷媒回路８による給湯運転を行うものであり、さらにシステムの高信頼化が図れる。
【００２６】
なお、前記した所定の設定値は、圧縮機１や熱回収熱交換器７および風呂熱交換器１５の能力や風呂ポンプ１４の搬送能力等から、水が凍結する０℃以上の任意に温度（例えば５℃）に設定すればよい。
【００２７】
また、風呂温度検出手段１９の検出温度が所定の設定値を下回った場合、第２の減圧手段６の閉塞動作を行って熱回収冷媒回路８による給湯運転を停止するとともに、第１の減圧手段３で流量制御を行う自然熱利用冷媒回路５による給湯運転に切り替えることも容易に可能である。このようにすれば、給湯運転が間断なく行え、システムの性能向上を実現することができる。
【００２８】
（実施例４）
図４は、本発明の実施例４におけるヒートポンプ式風呂給湯システムの構成図を示すものである。本発明は、特に、実施例１〜３に記載の構成に加えて、風呂回路８の水温を検出する風呂温度検出手段１９と、外気温を検出する外気温度検出手段２０とを備え、風呂温度検出手段１９と外気温度検出手段２０の検出温度の差が所定の設定値よりも大きいときのみ、運転制御手段１７が第１の減圧手段３の閉塞動作を行い、熱回収冷媒回路８による給湯運転を行うものである。外気温度検出手段２０としては、例えば、大気熱を蒸発器４に集熱する送風ファンや太陽熱を蒸発器４に集熱する集熱パネルの近傍に、サーミスタを設置したものが挙げられる。
【００２９】
実施例１に示すようなシステムで給湯運転を行う場合、省エネルギーの観点から、自然熱利用または浴槽廃熱回収のどちらか効率の良い方を選択し、システムとしての高効率化を図り、経済的な運転を行う必要がある。例えば、浴槽１３の残湯温度は一般に外気温度よりも高い場合が多く、熱回収冷媒回路８による給湯運転を行った方が効率は良くなる。但し、放熱等により残湯温度が低下し、外気温度よりも下回った場合、必ずしも熱回収冷媒回路８による給湯運転を行った方が効率は良いとは限らない。本実施例は、風呂温度検出手段１９と外気温度検出手段２０の検出温度の差が所定の設定値よりも大きいときのみ、熱回収冷媒回路８による給湯運転を行うものであり、簡単な構成で自然熱利用または浴槽廃熱回収の効率の良い方の給湯運転を選択でき、システムの高効率化が図れる。
【００３０】
なお、前記した所定の設定値は、自然熱利用給湯運転の効率を決める蒸発器４や送風ファン、集熱パネル等の能力、浴槽廃熱回収給湯運転の効率を決める熱回収熱交換器７および風呂熱交換器１５の能力や風呂ポンプ１４の搬送能力等から、任意の温度に設定すればよい。
【００３１】
また、風呂温度検出手段１９と外気温度検出手段２０の検出温度の差が所定の設定値を下回った場合、第２の減圧手段６の閉塞動作を行って熱回収冷媒回路８による給湯運転を停止するとともに、第１の減圧手段３で流量制御を行う自然熱利用冷媒回路５による給湯運転に切り替えることも容易に可能である。このようにすれば、給湯運転が間断なく行え、システムの性能向上を実現することができる。
【００３２】
（実施例５）
本発明の実施例５は、特に、実施例３〜４に記載の構成において、風呂ポンプ１４を運転させた後、風呂温度検出手段１９により風呂回路８の水温を検出するものである。風呂回路８の水温は例えば冬季に放置しておくと放熱により著しく低下する。浴槽廃熱回収給湯運転の効率を決めるのは浴槽１３の残湯温度であり、本実施例は、あらかじめ風呂ポンプ１４により風呂回路８内に静止していた残湯を循環させるため、浴槽１３の残湯温度を精度良く検出でき、システムの高信頼化が図れる。
【００３３】
（実施例６）
図５は、本発明の実施例６におけるヒートポンプ式風呂給湯システムの構成図を示すものである。本発明は、特に、実施例１〜５に記載の構成に加えて、ユーザによって操作されて熱回収給湯運転指令信号を出力する熱回収給湯運転スイッチ２１を備え、ここからの熱回収給湯運転指令信号がある場合のみ、運転制御手段１７が第１の減圧手段３の閉塞動
作を行い、熱回収冷媒回路８による給湯運転を行うものである。
【００３４】
本システムのような貯湯式の給湯システムは、十分な貯湯量を確保するのに要する給湯運転時間が長いため、自動的に給湯運転を行うのが一般である。しかしながら、浴槽廃熱回収給湯運転を自動化すると、浴槽１３の残湯温度が低下するため、入浴時に所望の湯温が得られなくなる可能性がある。本実施例は、ユーザによって熱回収給湯運転スイッチ２１が操作された場合のみ、すなわち熱回収冷媒回路８による給湯運転をユーザーの判断で行うものであるため、不測の浴槽１３の残湯冷却が防止できる。
【００３５】
（実施例７）
図６は、本発明の実施例７におけるヒートポンプ式風呂給湯システムの構成図を示すものである。本発明は、特に、実施例１〜６に記載の構成に加えて、時刻を計測するタイマー２２を備え、タイマー２２の計測時刻が時間別電力料金制度の深夜時間帯である場合のみ、運転制御手段１７が第１の減圧手段３の閉塞動作を行い、熱回収冷媒回路８による給湯運転を行うものである。
【００３６】
これによれば、浴槽廃熱回収給湯運転が電力料金の安い深夜時間帯に制限され、給湯運転に伴うランニングコストの低減が図れる。
【００３７】
【発明の効果】
以上説明したように、請求項１〜７に記載の発明によれば、構成の簡略化により部品点数の削減を図るとともに、圧縮機等の信頼性向上と浴槽廃熱回収給湯運転時の高効率化を実現するヒートポンプ式風呂給湯システムを提供することができる。
【図面の簡単な説明】
【図１】  本発明の実施例１のヒートポンプ式風呂給湯システムの構成図
【図２】  本発明の実施例２のヒートポンプ式風呂給湯システムの構成図
【図３】  本発明の実施例３のヒートポンプ式風呂給湯システムの構成図
【図４】  本発明の実施例４のヒートポンプ式風呂給湯システムの構成図
【図５】  本発明の実施例６のヒートポンプ式風呂給湯システムの構成図
【図６】  本発明の実施例７のヒートポンプ式風呂給湯システムの構成図
【図７】  従来のヒートポンプシステムの構成図
【符号の説明】
１  圧縮機
２  凝縮器
３  第１の減圧手段
４  蒸発器
５  自然熱利用冷媒回路
６  第２の減圧手段
７  熱回収熱交換器
８  熱回収冷媒回路
９  貯湯漕
１０  循環ポンプ
１１  給湯熱交換器
１２  給湯回路
１３  浴槽
１４  風呂ポンプ
１５  風呂熱交換器
１６  風呂回路
１７  運転制御手段
１８  残湯検出手段
１９  風呂温度検出手段
２０  外気温度検出手段
２１  熱回収給湯運転スイッチ
２２  タイマー
【図１】
0003840914.tif 000002
【図２】
0003840914.tif 000003
【図３】
0003840914.tif 000004
【図４】
0003840914.tif 000005
【図５】
0003840914.tif 000006
【図６】
0003840914.tif 000007
【図７】
0003840914.tif 000008